【手続補正書】
【提出日】平成30年9月4日(2018.9.4)
【手続補正１】
【補正対象書類名】特許請求の範囲
【補正対象項目名】全文
【補正方法】変更
【補正の内容】
【特許請求の範囲】
【請求項１】
入射光によって生じた電荷の蓄積を行う光電変換部と、前記電荷を保持する保持部と、前記電荷に基づく信号を出力する増幅部と、前記光電変換部から前記保持部へ前記電荷を転送する第１の転送スイッチと、前記保持部から前記増幅部へ前記電荷を転送する第２の転送スイッチと、をそれぞれが有する複数の画素と、
前記複数の画素の前記増幅部からの信号が出力される出力線と、を有し、
前記複数の画素の少なくとも一部の画素の光電変換部は、互いに電気的に分離された複数の蓄積領域を含み、
第１の時刻において、前記複数の画素の前記光電変換部が前記電荷の蓄積を開始し、
前記第１の時刻から第２の時刻まで、前記複数の画素の少なくとも１つの画素の前記第１の転送スイッチがオフに維持され、かつ、前記少なくとも１つの画素の前記光電変換部が前記第１の時刻から前記第２の時刻までの第１の期間に生じた電荷を蓄積し、
前記第１の期間に、前記複数の画素の前記第２の転送スイッチが順にオンし、かつ、前記複数の画素の前記増幅部が順に信号を出力し、
前記第２の時刻から第３の時刻までの第２の期間の少なくとも一部に、前記複数の画素の前記保持部が前記第１の期間に生じた電荷を保持し、
前記第２の期間の少なくとも一部に、前記複数の画素の前記光電変換部または前記保持部が前記第２の期間に生じた電荷を保持し、
前記第３の時刻に、前記複数の画素の前記第１の転送スイッチがオンからオフに制御される、
ことを特徴とする撮像装置。
【請求項２】
前記少なくとも一部の画素の前記第１の転送スイッチは、前記複数の蓄積領域に対応して配された複数の第１転送トランジスタを含む、
ことを特徴とする請求項１に記載の撮像装置。
【請求項３】
前記複数の第１転送トランジスタは、互いに同相で動作する、
ことを特徴とする請求項２に記載の撮像装置。
【請求項４】
前記少なくとも一部の画素の保持部は、前記複数の蓄積領域に対応して配され、かつ、互いに電気的に分離された複数の保持領域を含む、
ことを特徴とする請求項１乃至請求項３のいずれか一項に記載の撮像装置。
【請求項５】
前記少なくとも一部の画素の前記第２の転送スイッチは、前記複数の保持領域に対応して配された複数の第２転送トランジスタを含む、
ことを特徴とする請求項４に記載の撮像装置。
【請求項６】
前記複数の第２の転送トランジスタは、互いに独立に制御される、
ことを特徴とする請求項５に記載の撮像装置。
【請求項７】
前記少なくとも一部の画素の前記増幅部は、前記複数の蓄積領域からの電荷を受ける増幅トランジスタを含む、
ことを特徴とする請求項１乃至請求項６のいずれか一項に記載の撮像装置。
【請求項８】
前記少なくとも一部の画素の前記増幅部は、それぞれが前記複数の蓄積領域の対応する１つからの電荷を受ける複数の増幅トランジスタを含む、
ことを特徴とする請求項１乃至請求項６のいずれか一項に記載の撮像装置。
【請求項９】
前記少なくとも一部の画素は、第１の画素と第２の画素とを含み、
前記第１の画素の前記複数の蓄積領域は第１の方向に沿って並び、
前記第２の画素の前記複数の蓄積領域は前記第１の方向と交差する第２の方向に沿って並ぶ、
ことを特徴する請求項１乃至請求項８のいずれか一項に記載の撮像装置。
【請求項１０】
前記保持部の飽和電荷量は、前記光電変換部の飽和電荷量より大きい、
ことを特徴とする請求項１乃至請求項９のいずれか一項に記載の撮像装置。
【請求項１１】
前記第２の期間の少なくとも一部で、前記第１の転送スイッチがオフに制御される、
ことを特徴とする請求項１乃至請求項１０のいずれか一項に記載の撮像装置。
【請求項１２】
前記第２の期間において、前記複数の画素の前記第２の転送スイッチがオフに維持される、
ことを特徴とする請求項１乃至請求項１１のいずれか一項に記載の撮像装置。
【請求項１３】
入射光によって生じた電荷の蓄積を行う光電変換部と、前記電荷を保持する保持部と、前記電荷に基づく信号を出力する増幅部と、前記光電変換部から前記保持部へ前記電荷を転送する第１の転送スイッチと、前記保持部から前記増幅部へ前記電荷を転送する第２の転送スイッチと、をそれぞれが有する複数の画素と、
前記複数の画素の前記増幅部からの信号が出力される出力線と、
前記複数の画素に含まれる一対の画素の前記光電変換部が瞳の互いに異なる位置を通過した光を受けるように、前記一対の画素に含まれる前記光電変換部を遮光する遮光部と、を有し、
第１の時刻において、前記複数の画素の前記光電変換部が前記電荷の蓄積を開始し、
前記第１の時刻から第２の時刻まで、前記複数の画素の少なくとも１つの画素の前記第１の転送スイッチがオフに維持され、かつ、前記少なくとも１つの画素の前記光電変換部が前記第１の時刻から前記第２の時刻までの第１の期間に生じた電荷を蓄積し、
前記第１の期間に、前記複数の画素の前記第２の転送スイッチが順にオンし、かつ、前記複数の画素の前記増幅部が信号を順に出力し、
前記第２の時刻から第３の時刻までの第２の期間の少なくとも一部に、前記複数の画素の前記保持部が前記第１の期間に生じた電荷を保持し、
前記第２の期間の少なくとも一部に、前記複数の画素の前記光電変換部または前記保持部が前記第２の期間に生じた電荷を保持し、
前記第３の時刻に、前記複数の画素の前記第１の転送スイッチがオンからオフに制御される、
ことを特徴とする撮像装置。
【請求項１４】
前記遮光部は前記保持部を遮光する、
ことを特徴とする請求項１３に記載の撮像装置。
【請求項１５】
前記遮光部の前記光電変換部を遮光する部分と、前記遮光部の前記保持部を遮光する部分とが同じ金属層により形成された、
ことを特徴とする請求項１４に記載の撮像装置。
【請求項１６】
前記保持部の飽和電荷量は、前記光電変換部の飽和電荷量より大きい、
ことを特徴とする請求項１３乃至請求項１５のいずれか一項に記載の撮像装置。
【請求項１７】
前記第２の期間の少なくとも一部で、前記第１の転送スイッチがオフに制御される、
ことを特徴とする請求項１３乃至請求項１６のいずれか一項に記載の撮像装置。
【請求項１８】
前記第２の期間において、前記複数の画素の前記第２の転送スイッチがオフに維持される、
ことを特徴とする請求項１３乃至請求項１７のいずれか一項に記載の撮像装置。
【請求項１９】
入射光によって生じた電荷の蓄積を行う光電変換部と、前記電荷を保持する保持部と、前記電荷に基づく信号を出力する増幅部と、前記光電変換部から前記保持部へ前記電荷を転送する第１の転送スイッチと、前記保持部から前記増幅部へ前記電荷を転送する第２の転送スイッチと、をそれぞれが有する複数の画素と、
前記複数の画素の前記増幅部からの信号が出力される出力線と、を有し、
第１の時刻において、前記複数の画素の前記光電変換部が前記電荷の蓄積を開始し、前記第１の時刻から第２の時刻まで、前記複数の画素の少なくとも１つの画素の前記第１の転送スイッチがオフに維持され、かつ、前記少なくとも１つの画素の前記光電変換部が前記第１の時刻から前記第２の時刻までの第１の期間に生じた電荷を蓄積し、
前記第１の期間に、前記複数の画素の前記第２の転送スイッチがオンし、かつ、前記複数の画素の前記増幅部が信号を出力し、
前記第２の時刻から第３の時刻までの第２の期間の少なくとも一部に、前記複数の画素の前記保持部が前記第１の期間に生じた電荷を保持し、
前記第２の期間の少なくとも一部に、前記複数の画素の前記光電変換部または前記保持部が前記第２の期間に生じた電荷を保持し、
前記第３の時刻に、前記複数の画素の前記第１の転送スイッチがオンからオフに制御され、
前記複数の画素の少なくとも一部の画素は、像面位相差方式による焦点検出のための信号を出力する、
ことを特徴とする撮像装置。
【請求項２０】
前記保持部の飽和電荷量は、前記光電変換部の飽和電荷量より大きい、
ことを特徴とする請求項１９に記載の撮像装置。
【請求項２１】
前記第２の期間の少なくとも一部で、前記第１の転送スイッチがオフに制御される、
ことを特徴とする請求項１９または請求項２０に記載の撮像装置。
【請求項２２】
前記第２の期間において、前記複数の画素の前記第２の転送スイッチがオフに維持される、
ことを特徴とする請求項１９乃至請求項２１のいずれか一項に記載の撮像装置。
【請求項２３】
請求項１乃至請求項２２のいずれか一項に記載された撮像装置と、
前記撮像装置からの信号を処理する信号処理装置と、を備える、
ことを特徴とする撮像システム。
【請求項２４】
光学系を備え、
前記撮像装置からの信号に基づいて前記光学系の焦点の制御を行う、
ことを特徴とする撮像システム。
【手続補正２】
【補正対象書類名】明細書
【補正対象項目名】０００７
【補正方法】変更
【補正の内容】
【０００７】
本発明の１つの側面に係る実施形態の撮像装置は、入射光によって生じた電荷の蓄積を行う光電変換部と、前記電荷を保持する保持部と、前記電荷に基づく信号を出力する増幅部と、前記光電変換部から前記保持部へ前記電荷を転送する第１の転送スイッチと、前記保持部から前記増幅部へ前記電荷を転送する第２の転送スイッチと、をそれぞれが有する複数の画素と、前記複数の画素の前記増幅部からの信号が出力される出力線と、を有し、前記複数の画素の少なくとも一部の画素の光電変換部は、互いに電気的に分離された複数の蓄積領域を含み、第１の時刻において、前記複数の画素の前記光電変換部が前記電荷の蓄積を開始し、前記第１の時刻から第２の時刻まで、前記複数の画素の少なくとも１つの画素の前記第１の転送スイッチがオフに維持され、かつ、前記少なくとも１つの画素の前記光電変換部が前記第１の時刻から前記第２の時刻までの第１の期間に生じた電荷を蓄積し、前記第１の期間に、前記複数の画素の前記第２の転送スイッチが順にオンし、かつ、前記複数の画素の前記増幅部が順に信号を出力し、前記第２の時刻から第３の時刻までの第２の期間の少なくとも一部に、前記複数の画素の前記保持部が前記第１の期間に生じた電荷を保持し、前記第２の期間の少なくとも一部に、前記複数の画素の前記光電変換部または前記保持部が前記第２の期間に生じた電荷を保持し、前記第３の時刻に、前記複数の画素の前記第１の転送スイッチがオンからオフに制御される、ことを特徴とする。
【手続補正３】
【補正対象書類名】明細書
【補正対象項目名】０００８
【補正方法】変更
【補正の内容】
【０００８】
本発明の別の側面に係る実施形態の撮像装置は、入射光によって生じた電荷の蓄積を行う光電変換部と、前記電荷を保持する保持部と、前記電荷に基づく信号を出力する増幅部と、前記光電変換部から前記保持部へ前記電荷を転送する第１の転送スイッチと、前記保持部から前記増幅部へ前記電荷を転送する第２の転送スイッチと、をそれぞれが有する複数の画素と、前記複数の画素の前記増幅部からの信号が出力される出力線と、前記複数の画素に含まれる一対の画素の前記光電変換部が瞳の互いに異なる位置を通過した光を受けるように、前記一対の画素に含まれる前記光電変換部を遮光する遮光部と、を有し、第１の時刻において、前記複数の画素の前記光電変換部が前記電荷の蓄積を開始し、前記第１の時刻から第２の時刻まで、前記複数の画素の少なくとも１つの画素の前記第１の転送スイッチがオフに維持され、かつ、前記少なくとも１つの画素の前記光電変換部が前記第１の時刻から前記第２の時刻までの第１の期間に生じた電荷を蓄積し、前記第１の期間に、前記複数の画素の前記第２の転送スイッチが順にオンし、かつ、前記複数の画素の前記増幅部が信号を順に出力し、前記第２の時刻から第３の時刻までの第２の期間の少なくとも一部に、前記複数の画素の前記保持部が前記第１の期間に生じた電荷を保持し、前記第２の期間の少なくとも一部に、前記複数の画素の前記光電変換部または前記保持部が前記第２の期間に生じた電荷を保持し、前記第３の時刻に、前記複数の画素の前記第１の転送スイッチがオンからオフに制御される、ことを特徴とする。
【手続補正４】
【補正対象書類名】明細書
【補正対象項目名】０００９
【補正方法】変更
【補正の内容】
【０００９】
本発明のさらに別の側面に係る実施形態の撮像装置は、入射光によって生じた電荷の蓄積を行う光電変換部と、前記電荷を保持する保持部と、前記電荷に基づく信号を出力する増幅部と、前記光電変換部から前記保持部へ前記電荷を転送する第１の転送スイッチと、前記保持部から前記増幅部へ前記電荷を転送する第２の転送スイッチと、をそれぞれが有する複数の画素と、前記複数の画素の前記増幅部からの信号が出力される出力線と、を有し、第１の時刻において、前記複数の画素の前記光電変換部が前記電荷の蓄積を開始し、前記第１の時刻から第２の時刻まで、前記複数の画素の少なくとも１つの画素の前記第１の転送スイッチがオフに維持され、かつ、前記少なくとも１つの画素の前記光電変換部が前記第１の時刻から前記第２の時刻までの第１の期間に生じた電荷を蓄積し、前記第１の期間に、前記複数の画素の前記第２の転送スイッチがオンし、かつ、前記複数の画素の前記増幅部が信号を出力し、前記第２の時刻から第３の時刻までの第２の期間の少なくとも一部に、前記複数の画素の前記保持部が前記第１の期間に生じた電荷を保持し、前記第２の期間の少なくとも一部に、前記複数の画素の前記光電変換部または前記保持部が前記第２の期間に生じた電荷を保持し、前記第３の時刻に、前記複数の画素の前記第１の転送スイッチがオンからオフに制御され、前記複数の画素の少なくとも一部の画素は、像面位相差方式による焦点検出のための信号を出力する、ことを特徴とする。